(57)【要約】  本開示はディスプレイスクリーン・フィルタの繰り返し取り外しおよび再装着を可能にする装着可能アフターマーケット・ディスプレイスクリーン・フィルタシステムに関する。具体的には装着可能ディスプレイスクリーン・フィルタシステムはディスプレイスクリーン・フィルタ（１８）、ならびにディスプレイスクリーン・フィルタをコンピュータのコンピュータ・ディスプレイスクリーン（１６）に装着するための接着ヒンジ（２０）および留め具（２２）を含む。接着ヒンジはディスプレイスクリーン・フィルタの第１の側をコンピュータ・ディスプレイスクリーンの筐体（１４）にヒンジ式に取り付ける。留め具は筐体に付着するとともに、ディスプレイスクリーン・フィルタに付着せずにディスプレイスクリーン・フィルタの第２の側を筐体に隣接して保持する。ユーザは留め具を操作してディスプレイスクリーン・フィルタを解放することで、フィルタは接着ヒンジを中心に円弧状に移動することができる。
2007510220.tif 000002
【特許請求の範囲】
【請求項１】
ディスプレイスクリーン・フィルタと、
前記ディスプレイスクリーン・フィルタの第１の側がディスプレイスクリーンの筐体にヒンジ式に取り付けられるように、前記筐体と前記ディスプレイスクリーン・フィルタの前記第１の側とに付着する接着ヒンジと、
前記筐体に付着するとともに、前記ディスプレイスクリーン・フィルタに付着せずに前記ディスプレイスクリーン・フィルタの第２の側を前記筐体に隣接して保持する留め具とを備える、装着可能ディスプレイスクリーン・フィルタシステム。
【請求項２】
複数の留め具をさらに備える、請求項１に記載の装着可能ディスプレイスクリーン・フィルタシステム。
【請求項３】
前記ディスプレイスクリーン・フィルタが前記留め具から取り外し可能および前記接着ヒンジを中心に円弧状に移動可能であるように、前記留め具が前記ディスプレイスクリーン・フィルタの前記第２の側を前記筐体に隣接して取り外し可能に保持する、請求項１に記載の装着可能ディスプレイスクリーン・フィルタシステム。
【請求項４】
前記留め具が硬質部材を備え、前記部材の第１の部分上に前記筐体に付着するための接着剤を含むとともに、前記ディスプレイスクリーン・フィルタに付着せずに前記ディスプレイスクリーン・フィルタの前記第２の側を前記筐体に隣接して保持する第２の部分上に実質的に接着剤を含まない、請求項１に記載の装着可能ディスプレイスクリーン・フィルタシステム。
【請求項５】
前記留め具が、前記筐体に付着するための接着剤を含む第１の部材と、前記ディスプレイスクリーン・フィルタに付着せずに前記ディスプレイスクリーン・フィルタの前記第２の側を前記筐体に隣接して保持する第２の部材とを備え、前記第２の部材が前記第１の部材に取り付けられている、請求項１に記載の装着可能ディスプレイスクリーン・フィルタシステム。
【請求項６】
前記第２の部材が前記第１の部材に対して回転して、前記筐体に隣接した前記ディスプレイスクリーン・フィルタの前記第２の側を保持または解放する、請求項５に記載の装着可能ディスプレイスクリーン・フィルタシステム。
【請求項７】
前記留め具が、元の形状から歪曲して前記ディスプレイスクリーン・フィルタの前記第２の側を解放するとともに、前記元の形状に戻って前記ディスプレイスクリーン・フィルタの前記第２の側を前記筐体に隣接して保持する記憶材料を備える、請求項１に記載の装着可能ディスプレイスクリーン・フィルタシステム。
【請求項８】
前記留め具が前記筐体の事前成形部分を備える、請求項１に記載の装着可能ディスプレイスクリーン・フィルタシステム。
【請求項９】
前記接着ヒンジが、接着材料層が一方側に塗布された硬質基体を備える、請求項１に記載の装着可能ディスプレイスクリーン・フィルタシステム。
【請求項１０】
前記硬質基体が金属を備える、請求項９に記載の装着可能ディスプレイスクリーン・フィルタシステム。
【請求項１１】
前記硬質基体がプラスチックを備える、請求項９に記載の装着可能ディスプレイスクリーン・フィルタシステム。
【請求項１２】
前記接着ヒンジが、前記接着ヒンジの両縁部付近に前記筐体に対して前記ディスプレイスクリーン・フィルタを位置合わせするための位置合わせマークを含む、請求項１に記載の装着可能ディスプレイスクリーン・フィルタシステム。
【請求項１３】
前記接着ヒンジが供給元識別子を含む、請求項１２に記載の装着可能ディスプレイスクリーン・フィルタシステム。
【請求項１４】
前記接着ヒンジが実質的に前記接着ヒンジの主軸に沿った折り目を含む、請求項１に記載の装着可能ディスプレイスクリーン・フィルタシステム。
【請求項１５】
前記実質的に前記接着ヒンジの主軸に沿った折り目が前記筐体のベゼルに対応する、請求項１４に記載の装着可能ディスプレイスクリーン・フィルタシステム。
【請求項１６】
前記折り目が折り線を備える、請求項１４に記載の装着可能ディスプレイスクリーン・フィルタシステム。
【請求項１７】
前記ディスプレイスクリーン・フィルタが、プライバシフィルタ、透明保護フィルタ、ぎらつき防止フィルタ、偏光フィルタ、放射線低減フィルタ、紫外線フィルタ、反射防止フィルタ、およびコントラスト向上フィルタの群から選択されたフィルタからなる、請求項１に記載の装着可能ディスプレイスクリーン・フィルタシステム。
【請求項１８】
前記システムがコンピュータ・ディスプレイへのアフターマーケット追加部品を備える、請求項１に記載の装着可能ディスプレイスクリーン・フィルタシステム。
【請求項１９】
前記コンピュータ・ディスプレイが液晶ディスプレイ（ＬＣＤ）を備える、請求項１７に記載の装着可能ディスプレイスクリーン・フィルタシステム。
【請求項２０】
前記ディスプレイスクリーン・フィルタが枠なしディスプレイスクリーン・フィルタを備える、請求項１に記載の装着可能ディスプレイスクリーン・フィルタシステム。
【請求項２１】
筐体と前記筐体内の開口を介して視認可能なディスプレイスクリーンとを含むコンピュータ・ディスプレイと、
ディスプレイスクリーン・フィルタであって、前記ディスプレイスクリーン・フィルタの第１の側が前記筐体にヒンジ式に取り付けられるように、前記筐体と前記ディスプレイスクリーン・フィルタの前記第１の側とに付着する接着ヒンジにより前記ディスプレイスクリーンにわたり前記筐体上に装着されたディスプレイスクリーン・フィルタと、前記筐体に付着するとともに前記ディスプレイスクリーン・フィルタに付着せずに前記ディスプレイスクリーン・フィルタの第２の側を前記筐体に隣接して保持する留め具とを備えるシステム。
【請求項２２】
前記ディスプレイスクリーン・フィルタが前記留め具から取り外し可能および前記接着ヒンジを中心に円弧状に移動可能であるように、前記留め具が前記ディスプレイスクリーン・フィルタの前記第２の側を前記筐体に隣接して取り外し可能に保持する、請求項２１に記載のシステム。
【請求項２３】
前記留め具が硬質部材を備え、前記部材の第１の部分上に前記筐体に付着するための接着剤を含むとともに、前記ディスプレイスクリーン・フィルタに付着せずに前記ディスプレイスクリーン・フィルタの前記第２の側を前記筐体に隣接して保持する第２の部分上に実質的に接着剤を含まない、請求項２１に記載のシステム。
【請求項２４】
前記留め具が、前記筐体に付着するための接着剤を含む第１の部材と、前記ディスプレイスクリーン・フィルタに付着せずに前記ディスプレイスクリーン・フィルタの前記第２の側を前記筐体に隣接して保持する第２の部材とを備え、前記第２の部材が前記第１の部材に取り付けられている、請求項２１に記載のシステム。
【請求項２５】
前記第２の部材が前記第１の部材に対して回転して、前記筐体に隣接した前記ディスプレイスクリーン・フィルタの前記第２の側を保持または解放する、請求項２４に記載のシステム。
【請求項２６】
前記留め具が、元の形状から歪曲して前記ディスプレイスクリーン・フィルタの前記第２の側を解放するとともに、前記元の形状に戻って前記ディスプレイスクリーン・フィルタの前記第２の側を前記筐体に隣接して保持する記憶材料を備える、請求項２１に記載のシステム。
【請求項２７】
前記留め具が前記筐体の事前成形部分を備える、請求項２１に記載のシステム。
【請求項２８】
前記接着ヒンジが、接着材料層が一方側に塗布された硬質基体を備える、請求項２１に記載のシステム。
【請求項２９】
前記接着ヒンジが、前記接着ヒンジの両縁部付近に前記筐体に対して前記ディスプレイスクリーン・フィルタを位置合わせするための位置合わせマークを含む、請求項２１に記載のシステム。
【請求項３０】
前記接着ヒンジが実質的に前記接着ヒンジの主軸に沿った折り目を含む、請求項２１に記載のシステム。
【請求項３１】
前記ディスプレイスクリーン・フィルタが、プライバシフィルタ、透明保護フィルタ、ぎらつき防止フィルタ、紫外線フィルタ、偏光フィルタ、放射線低減フィルタ、およびコントラスト向上フィルタの群から選択されたフィルタからなる、請求項２１に記載のシステム。
【請求項３２】
ディスプレイスクリーン・フィルタを、筐体と前記筐体内の開口を介して視認可能なディスプレイスクリーンとを含むコンピュータ・ディスプレイに対して位置合わせするステップと、
前記ディスプレイスクリーン・フィルタの第１の側が前記筐体にヒンジ式に取り付けられるように、接着ヒンジを前記筐体と前記ディスプレイスクリーン・フィルタの前記第１の側とに接着するステップと、
留め具を前記ディスプレイスクリーン・フィルタに接着せずに前記ディスプレイスクリーン・フィルタの第２の側を前記筐体に隣接して保持するように、留め具を前記筐体に接着するステップとを含む方法。
【請求項３３】
前記ディスプレイスクリーン・フィルタをコンピュータ・ディスプレイに対して位置合わせするステップが、前記接着ヒンジで前記ディスプレイスクリーン・フィルタを前記筐体に対して位置合わせするステップを含み、前記接着ヒンジが前記接着ヒンジの両縁部付近に位置合わせマークを含む、請求項３２に記載の方法。
【請求項３４】
前記接着ヒンジが実質的に前記接着ヒンジの主軸に沿った折り目を含み、前記方法が前記折り目を前記筐体のベゼルに対して位置合わせするステップをさらに含む、請求項３２に記載の方法。
【請求項３５】
前記接着ヒンジを前記筐体と前記ディスプレイスクリーン・フィルタの前記第１の側とに接着するステップが、前記接着ヒンジに圧力を印加して前記筐体と前記ディスプレイスクリーン・フィルタの前記第１の側との接着を形成するステップを含む、請求項３２に記載の方法。
【請求項３６】
前記ディスプレイスクリーン・フィルタが前記留め具から取り外し可能および前記接着ヒンジを中心に円弧状に移動可能であるように、前記留め具を操作して前記ディスプレイスクリーン・フィルタの前記第２の側を前記筐体に隣接して取り外し可能に保持するステップをさらに含む、請求項３２に記載の方法。
【請求項３７】
前記留め具が硬質部材を備え、前記部材の第１の部分上に前記筐体に接着するための接着剤を含むとともに第２の部分上に実質的に接着剤を含まず、前記方法が前記ディスプレイスクリーン・フィルタの前記第２の側を前記留め具の前記第２の部分と前記ディスプレイスクリーンとの間に配置して、前記留め具を前記ディスプレイスクリーン・フィルタに接着せずに前記ディスプレイスクリーン・フィルタを前記筐体に隣接して保持するステップをさらに含む、請求項３２に記載の方法。
【請求項３８】
前記留め具が、前記筐体に付着するための接着剤を含む第１の部材と、前記第１の部材に取り付けられた第２の部材とを備え、前記方法が前記ディスプレイスクリーン・フィルタの前記第２の側を前記留め具の前記第２の部材と前記ディスプレイスクリーンとの間に配置して、前記留め具を前記ディスプレイスクリーン・フィルタに接着せずに前記ディスプレイスクリーン・フィルタを前記筐体に隣接して保持するステップをさらに含む、請求項３２に記載の方法。
【請求項３９】
前記第２の部材を前記第１の部材に対して回転させて、前記筐体に隣接した前記ディスプレイスクリーン・フィルタの前記第２の側を保持または解放するステップをさらに含む、請求項３８に記載の方法。
【請求項４０】
前記留め具が記憶材料を備え、前記方法が前記留め具を元の形状から歪曲させて前記ディスプレイスクリーン・フィルタの前記第２の側を解放するとともに、前記留め具を解放して前記元の形状に戻すとともに前記ディスプレイスクリーン・フィルタの第２の側を前記筐体に隣接して保持するステップをさらに含む、請求項３２に記載の方法。
【請求項４１】
ディスプレイスクリーン・フィルタと、
前記ディスプレイスクリーン・フィルタの第１の側がディスプレイスクリーンの筐体にヒンジ式に取り付けられるように、前記筐体と前記ディスプレイスクリーン・フィルタの前記第１の側とに接着する接着ヒンジとを備え、前記接着ヒンジに実質的に前記接着ヒンジの主軸に沿った折り目が形成されている、装着可能ディスプレイスクリーン・フィルタシステム。
【請求項４２】
実質的に前記接着ヒンジの主軸に沿った前記折り目が前記筐体のベゼルに対応する、請求項４１に記載の装着可能ディスプレイスクリーン・フィルタシステム。
【請求項４３】
前記折り目が折り線を備える、請求項４１に記載の装着可能ディスプレイスクリーン・フィルタシステム。
【請求項４４】
前記接着ヒンジが、前記接着ヒンジの両縁部付近に前記筐体に対して前記ディスプレイスクリーン・フィルタを位置合わせするための位置合わせマークを含む、請求項４１に記載の装着可能ディスプレイスクリーン・フィルタシステム。
【発明の詳細な説明】
【技術分野】
【０００１】
本開示はディスプレイスクリーン・フィルタに関し、特にコンピュータ・ディスプレイスクリーン用のアフターマーケット・フィルタに関する。
【背景技術】
【０００２】
ディスプレイスクリーン・フィルタとはコンピュータ・ディスプレイスクリーン上に装着してディスプレイスクリーンにフィルタをかけるまたは保護することができる半透明、部分的に透明、または透明な基体を指す。具体的にはディスプレイスクリーン・フィルタはコンピュータスクリーンを傷、汚損、および指紋から保護することができる。場合によってディスプレイスクリーン・フィルタはコンピュータスクリーンの発光を変える。例示的ディスプレイスクリーン・フィルタには透明保護フィルタ、ぎらつき防止フィルタ、紫外線フィルタ、コントラスト向上フィルタ、偏光フィルタ、放射線および静電気低減フィルタ、プライバシフィルタ、反射防止フィルタ、および多数の他のタイプのフィルタがある。
【０００３】
ディスプレイスクリーン・フィルタは多様なコンピュータスクリーン様式およびユーザの好みに適応する。例えばディスプレイスクリーン・フィルタをデスクトップモニタの側部および上部を取り巻く枠内に含み得る。枠付きディスプレイスクリーン・フィルタはその枠をデスクトップモニタの上部に取り付けるハンガーアームによりコンピュータスクリーン上に張り出してもよい。
【０００４】
また枠なしディスプレイスクリーン・フィルタはデスクトップモニタおよびノートブックディスプレイの両方用に設計されていた。この場合接着タブは通例フィルタをコンピュータスクリーンに隣接して取り付ける。また両面接着シールを用いて枠なしディスプレイスクリーン・フィルタをコンピュータスクリーン上に直接装着していた。
【０００５】
枠なしディスプレイスクリーン・フィルタを装着するために用いられる装着技術は概して美的感覚と使い勝手の均衡を図るものである。例えばユーザは両面接着テープを用いて枠なしフィルタをノートブックディスプレイ上に装着し得る。両面接着テープはコンピュータスクリーンと枠なしフィルタとの間に密着を生じるとともに、接着剤が見えないためノートブックの本来の美的感覚を妨害しない。しかしディスプレイスクリーン・フィルタは掃除のために、プライバシフィルタの場合には情報共有のために取り外されることが多い。ユーザが一旦枠なしフィルタをコンピュータスクリーンから取り外すと、接着シールは構造的完全性を損なう恐れがある。特にユーザがコンピュータスクリーン上にディスプレイスクリーン・フィルタを再装着する場合、両面接着テープは同じ接着品質を維持しない。現在のディスプレイスクリーン・フィルタ装着システムに関する問題の多くはディスプレイスクリーン・フィルタを繰り返し取り外しおよび再付着する必要性から生じている。
【発明の開示】
【課題を解決するための手段】
【０００６】
一実施形態において本開示は、ディスプレイスクリーン・フィルタと、ディスプレイスクリーン・フィルタの第１の側がディスプレイスクリーンの筐体にヒンジ式に取り付けられるように、筐体とディスプレイスクリーン・フィルタの第１の側とに付着する接着ヒンジと、筐体に付着するとともに、ディスプレイスクリーン・フィルタに付着せずにディスプレイスクリーン・フィルタの第２の側を筐体に隣接して保持する留め具とを備える、装着可能ディスプレイスクリーン・フィルタシステムを提供する。
【０００７】
他の実施形態において本開示は、筐体と筐体内の開口を介して視認可能なディスプレイスクリーンとを含むコンピュータ・ディスプレイと、ディスプレイスクリーンにわたり筐体上に装着されたディスプレイスクリーン・フィルタとを備えるシステムを提供する。ディスプレイスクリーン・フィルタは、ディスプレイスクリーン・フィルタの第１の側が筐体にヒンジ式に取り付けられるように、筐体とディスプレイスクリーン・フィルタの第１の側とに付着する接着ヒンジにより装着されている。留め具は筐体に付着するとともにディスプレイスクリーン・フィルタに付着せずにディスプレイスクリーン・フィルタの第２の側を筐体に隣接して保持する。
【０００８】
他の実施形態において本開示は、ディスプレイスクリーン・フィルタを、筐体と筐体内の開口を介して視認可能なディスプレイスクリーンとを含むコンピュータ・ディスプレイに対して位置合わせするステップと、ディスプレイスクリーン・フィルタの第１の側が筐体にヒンジ式に取り付けられるように、接着ヒンジを筐体とディスプレイスクリーン・フィルタの第１の側とに接着するステップと、留め具をディスプレイスクリーン・フィルタに接着せずにディスプレイスクリーン・フィルタの第２の側を筐体に隣接して保持するように、留め具を筐体に接着するステップとを含む方法を提供する。
【０００９】
これらおよび他の実施形態のさらなる詳細は添付の図面と以下の説明とに記載されている。他の特徴と目的と利点とは明細書および図面から、ならびに特許請求の範囲から明らかになろう。
【発明を実施するための最良の形態】
【００１０】
一般に本開示はディスプレイスクリーン・フィルタの繰り返し取り外しおよび再装着を可能にするアフターマーケット・ディスプレイスクリーン・フィルタ用の装着可能ディスプレイスクリーン・システムに関する。具体的には装着可能ディスプレイスクリーン・システムはディスプレイスクリーン・フィルタ、ならびにディスプレイスクリーン・フィルタをデスクトップ、ノートブックまたはハンドヘルドコンピュータなどのコンピュータのコンピュータ・ディスプレイスクリーンに装着するための接着ヒンジおよび留め具（ｃｌａｓｐ）を含む。接着ヒンジはディスプレイスクリーン・フィルタの第１の側をコンピュータ・ディスプレイスクリーンの筐体にヒンジ式に取り付ける。留め具は筐体に付着するとともに、ディスプレイスクリーン・フィルタに付着せずにディスプレイスクリーン・フィルタの第２の側を筐体に隣接して保持する。ユーザは留め具を操作してディスプレイスクリーン・フィルタを解放することで、フィルタは接着ヒンジを中心に円弧状に移動することができる。このようにユーザはディスプレイスクリーン・フィルタを筐体から取り外さずにフィルタをコンピュータ・ディスプレイスクリーンから移動させることができる。さらにまた接着ヒンジはフィルタおよび筐体の両方に接着したままである。そのためユーザは装着システムを大幅に脆弱化することなくディスプレイスクリーン・フィルタを繰り返し取り外しおよび再配置し得る。
【００１１】
図１はディスプレイスクリーン・フィルタ１８をディスプレイスクリーン１６上に装着するための接着ヒンジ２０と留め具２２とを含む装着可能ディスプレイスクリーン・システムを利用したコンピュータ１２の斜視図である。このようにディスプレイスクリーン・フィルタ１８はコンピュータ１２上に装着される。図１においてコンピュータ１２はノートブックコンピュータであるが、他の実施形態ではコンピュータ１２は、冷陰極管、液晶ディスプレイ、フラットパネルディスプレイ、プラズマディスプレイ、またはフィルタの恩恵を受ける任意の他のコンピュータ・ディスプレイを含む、デスクトップコンピュータ、ワークステーション、ラップトップまたはハンドヘルドコンピュータでもよい。コンピュータ１２は筐体１４とディスプレイスクリーン１６とを含む。ディスプレイスクリーン・フィルタ１８はディスプレイスクリーン１６を汚損および傷から保護するとともに、ぎらつき防止機能、コントラスト向上、偏光効果、放射線または静電気低減、紫外線低減、プライバシー保護機能、反射防止機能、または任意の他の所望のフィルタ効果も提供し得る。
【００１２】
接着ヒンジ２０はディスプレイスクリーン・フィルタ１８の第１の側に付着するとともに、フィルタ１８を筐体１４にヒンジ式に取り付ける。留め具２２はディスプレイスクリーン・フィルタ１８に付着せずにフィルタ１８の第２の側を筐体１４に隣接して保持するように筐体１４に付着する。ユーザは留め具２２を操作してフィルタ１８を保持または解放する。フィルタ１８は解放されると接着ヒンジ２０を中心に円弧状に移動することにより、ユーザはディスプレイスクリーン・フィルタ１８のないディスプレイスクリーン１６を視認することができる。フィルタ１８は留め具２２によってディスプレイスクリーン１６に隣接して保持されると、ディスプレイスクリーン１６からの発光を変化させて視認快適性を増し、放出される放射線を遮断し、または場合によっては機密画面視認を不正視認（ｉｎ−ｄｉｒｅｃｔ  ｖｉｅｗｉｎｇ）から防止する。しかしある場合にはフィルタ１８は完全に透明であるため、ディスプレイ出力を殆ど変更することなくディスプレイスクリーン１６への保護を提供し得る。
【００１３】
図１はそれぞれ筐体１４の下縁部および上縁部上に互いに対向配置された接着ヒンジ２０と留め具２２とを示す。しかしある実施形態では接着ヒンジ２０と留め具２２とは互いに隣接して、または筐体１４の左縁部または右縁部に配置し得る。さらなる実施形態ではユーザは複数の留め具２２を筐体１４に適用してディスプレイスクリーン・フィルタ１８をディスプレイスクリーン１６上に保持し得る。
【００１４】
接着ヒンジ２０は一方側上に接着剤層が塗布された基体を備える。基体は引き裂きおよび剥離に強いプラスチックまたは金属などの薄い硬質材料でもよい。基体は可撓性または折り目加工されヒンジとしての作用を向上し得る。接着剤はフィルタ１８および筐体１４上に押圧されると永久接着剤になる粘着剤でもよい。図１に図示するように、接着ヒンジ２０は長楕円形状を有するが、他の実施形態では接着ヒンジ２０はコンピュータ１２の外観をあまり損なわずにディスプレイスクリーン・フィルタ１８の第１の側を筐体１４に固着する任意の形状を取り得る。
【００１５】
留め具２２は、留め具２２の第１の部分に接着剤層が塗布されているが第２の部分には接着剤がない実質的に硬質部材を備える。この部材は歪曲可能であるが歪曲後に元の形状に戻るプラスチックまたは金属などの「記憶」材料でもよい。留め具２２の第１の部分は、第２の部分がディスプレイスクリーン１６上に張り出してフィルタ１８の第２の部分を筐体１４に隣接して保持するように、筐体１４に付着している。図１に示すように留め具２２は単一部材であるが、他の実施形態では留め具２２は２つ以上の部材を備えてスイベル金具、フック金具、または他の多数の部材金具を形成することによりフィルタ１８をディスプレイスクリーン１６上に保持し得る。
【００１６】
ディスプレイスクリーン・フィルタ１８はディスプレイスクリーン１６に嵌合する枠なしディスプレイスクリーン・フィルタである。美的目的のため、枠なし設計はコンピュータ１２の本来の外観をほぼ維持する。また枠なし設計によりフィルタ１８は常時ノートブックコンピュータ１２上に残存可能であるとともに、フィルタ１８に影響を与えずにノートブックコンピュータ１２を開閉することができる。
【００１７】
従来の枠なしフィルタ装着システムは通例、枠なし設計にかさを追加することなくまたはスピーカおよびモニタ制御子を覆うことなくフィルタをディスプレイスクリーン上に装着する。しかし従来の装着システムは付着を弱めずにフィルタを取り外しおよび再装着することを困難にする恐れがある。
【００１８】
本開示によれば接着ヒンジ２０によりユーザはフィルタ１８を接着ヒンジ２０から取り外さずに、または接着ヒンジ２０または留め具２２を筐体１４から取り外さすに、フィルタ１８をディスプレイスクリーン１６から取り外すことができる。このようにディスプレイスクリーン・フィルタ１８を接着ヒンジ２０および留め具２２によってスクリーン１６に隣接して筐体１４に固着可能であるが、接着ヒンジ２０において筐体１４から離れずにスクリーン１６に対して移動可能である。また上記の装着可能ディスプレイスクリーン・フィルタシステムはコンピュータ１２の外観を維持するとともにわずかなかさを筐体１４に追加するに過ぎない。
【００１９】
図２Ａおよび２Ｂは図１に図示したものと同様な装着可能ディスプレイスクリーン・システム１０の正面図を示す概略図である。具体的にはシステム１０はディスプレイスクリーン・フィルタ１８と、接着ヒンジ２０と、留め具２２とを含む。ディスプレイスクリーン・フィルタ１８は接着ヒンジ２０と留め具２２とによってディスプレイスクリーン１６の筐体１４に装着される。状況に応じて接着ヒンジ２０は、接着ヒンジ２０の主軸に沿って接着ヒンジ２０上に印刷された位置合わせマーク２４Ａおよび２４Ｂ（以後「位置合わせマーク２４」）を含むことにより、ユーザはディスプレイスクリーン・フィルタ１８を筐体１４に対して正しく位置合わせすることができる。
【００２０】
図２Ａは留め具２２により保持されたディスプレイスクリーン・フィルタ１８を示す。上述したように接着ヒンジ２０はディスプレイスクリーン・フィルタ１８の第１の側を筐体１４の下縁部に取り付けるとともに、留め具２２は筐体１４の上縁部に付着してフィルタ１８の第２の側を筐体１４に隣接して保持する。接着ヒンジ２０上の位置合わせマーク２４はフィルタ１８の第１の側の縁部と整列する。位置合わせマーク２４は、筐体１４とディスプレイスクリーン１６とが接する筐体１４のベゼルと一列に並んでもよい。位置合わせマーク２４によりユーザは接着ヒンジ２０を筐体１４とフィルタ１８との間の中心に位置させ、接着ヒンジ２０の主軸がディスプレイスクリーン・フィルタ１８用のヒンジとして動作できるようにすることができる。
【００２１】
留め具２２は、第１の部分に接着剤を有する単一部材を備え得る。留め具２２は留め具２２の第１の部分に塗布された接着剤層によって筐体１４の上縁部に付着している。留め具２２の第２の部分は接着剤層を有さず、留め具２２がディスプレイスクリーン・フィルタ１８に付着しないようになっている。ユーザは留め具２２を操作して留め具２２の第２の部分を若干屈曲させることによってディスプレイスクリーン・フィルタ１８を保持または解放することにより、ディスプレイスクリーン・フィルタ１８を留め具２２の第２の部分の下または上へ移動し得る。しかし他の実施形態では留め具が２つ以上の部材を備えることにより、ユーザは第１の部材を第２の部材に対して操作することによりフィルタ１８を保持または解放することができる。
【００２２】
図２Ｂは留め具２２から解放されて接着ヒンジ２０を中心に円弧状に移動したディスプレイスクリーン・フィルタ１８を示す。フィルタ１８がディスプレイスクリーン１６から外側に傾斜することにより、ユーザはディスプレイスクリーン１６およびフィルタ１８のディスプレイスクリーン１６に隣接した側を掃除することができる。フィルタ１８が非直視角度からのディスプレイスクリーン１６の視認を阻止するプライバシフィルタである場合、ユーザはフィルタ１８をディスプレイスクリーン１６から取り外すことによりディスプレイスクリーン１６上に表示された情報を数人と共有し得る。このようにフィルタ１８をヒンジ２０による取り付けから取り外さずにディスプレイスクリーン１６から取り外すことは、コンピュータ１２をプレゼンテーション等に用いる場合には非常に有用であり得る。
【００２３】
図３Ａおよび３Ｂはディスプレイスクリーン・フィルタ１８が留め具２２によって保持および解放された状態の装着可能ディスプレイスクリーン・システムの断面側面図を図示する概略図である。また装着可能ディスプレイスクリーン・システムはディスプレイスクリーン・フィルタ１８と、接着ヒンジ２０と、留め具２２とを含む。接着ヒンジ２０はディスプレイスクリーン・フィルタ１８を筐体１４に取り付けるとともに、留め具２２はフィルタ１８をディスプレイスクリーン１６上に保持する。
【００２４】
図３Ａは図２Ａの図示と同様に留め具２２によってディスプレイスクリーン１６上に保持されたディスプレイスクリーン・フィルタ１８を示す。接着ヒンジ２０は接着ヒンジ２０の主軸を筐体１４のベゼル２６に沿って位置合わせすることによりフィルタ１８を筐体１４に対して位置合わせする。ベゼル２６はディスプレイスクリーン１６の周囲の筐体１４の縁部を備える。図３Ａおよび３Ｂに図示された実施形態において、ベゼル２６はほぼ平坦であるとともに、接着ヒンジ２０はディスプレイスクリーン・フィルタ１８の第１の側の周囲を取り巻いて、フィルタ１８を筐体１４に取り付けている。しかし他の実施形態においてベゼルはディスプレイスクリーン・フィルタ１８をディスプレイスクリーン１６に隣接して且つ筐体１４と同一平面で嵌合可能にするのに十分に広くてもよい。その場合、接着ヒンジ２０はフィルタ１８と筐体１４との間で平坦に介在することになる。図３Ａおよび３Ｂに示すように、フィルタ１８をディスプレイスクリーン１６上に保持する留め具２２の一部分は、ユーザが留め具２２を繰り返し操作してディスプレイスクリーン・フィルタ１８を保持または解放した後若干外側に屈曲する場合がある。
【００２５】
図３Ｂは留め具２２から解放されて接着ヒンジ２０を中心に円弧状に移動したディスプレイスクリーン・フィルタ１８を示す。接着ヒンジ２０が屈曲することによりフィルタ１８はディスプレイスクリーン１６から外側に傾斜することができる。場合によっては接着ヒンジ２０がフィルタ１８の移動範囲を制限し得る。必要に応じて接着ヒンジ１８の主軸に沿った折り目（図示せず）がヒンジ２０の柔軟性を増加し得る。
【００２６】
図４Ａおよび４Ｂは接着ヒンジ２０の正面図および背面図を図示する概略図である。接着ヒンジ２０はプラスチックまたは金属などの基体を備えるとともに、正面側３０と接着剤層３４が塗布された背面側３２とを含んでいる。図２Ａの位置合わせマーク２４が正面側３０上に印刷されていることにより、図２Ａを参照して説明したようにユーザがディスプレイスクリーン・フィルタ１８を筐体１４に対して位置合わせするのを助ける。また接着ヒンジ２０は背面側３２の主軸に沿って、基体の柔軟性を増加させる折り目３６を含む。
【００２７】
接着ヒンジ２０は位置合わせマーク２４に加えてまたは代わりに、例えば正面側３０に印刷されたさらなるマーキング（図示せず）を有し得る。このマーキングには接着ヒンジ２０のメーカーの製造元識別子すなわち商標がある。またマーキングは接着ヒンジ２０を装飾する色および模様を含み得る。接着ヒンジ２０は光学的に透明または半透明であり、ディスプレイスクリーン１６のいずれの部分も遮蔽しないようになっている。また接着ヒンジ２０の基体は、ディスプレイスクリーン１６からの光が基体を通過すると光学的に透明になり得る。
【００２８】
接着ヒンジ２０の背面側３２は折り目３６によって屈曲して接着ヒンジ２０をより柔軟にさせる。接着ヒンジ２０の主軸に沿った折り目３６により厚い基体材がヒンジとして作用することができる。厚い基体材はヒンジ強度と安定性とを増すが、折り目３６はディスプレイスクリーン・フィルタ１８を接着ヒンジ２０を中心に容易に移動させることができる。また折り目３６により接着ヒンジ２０が筐体１４の大きなベゼルの周囲を取り付くことができる。ある実施形態では折り目３６はヒンジ２０の基体内への折り線または切り込みを備え得る。
【００２９】
図５Ａおよび５Ｂは上述の留め具２２に相当し得る留め具２２Ａの背面図および側面図をそれぞれ図示する概略図である。留め具２２Ａはプラスチックまたは金属などの単一の硬質部材であり、接着剤層４４を有する第１の部分４０と接着剤なしの第２の部分４２とを含んでいる。第１の部分４０は第２の部分４２がディスプレイスクリーン１６上に張り出すように接着剤層４４によってディスプレイスクリーン筐体１４に付着している。第２の部分４２はディスプレイスクリーン・フィルタ１８に付着せずにフィルタ１８の第２の側を筐体１４に隣接して保持する。ユーザは第２の部分４２をディスプレイスクリーン１６に向かってまたは離れるように屈曲させることによって留め具２２Ａを操作することによりフィルタ１８を解放または保持する。
【００３０】
図６Ａ、６Ｂおよび６Ｃは上述した留め具２２に相当し得る留め具２２Ｂの２つの正面図および１つの側面図をそれぞれ図示する概略図である。留め具２２Ｂは第１の部材５０と、締結具５４によって第１の部材５０に取り付けられた第２の部材５２とを含む。第１の部材５０はその一方側に接着剤層５１を有するプラスチックまたは金属などの硬質材料を備えている。第２の部材５２は接着剤を有さないプラスチックまたは金属などの硬質材料の他の一片を備えている。
【００３１】
締結具５４は、第２の部材５２が締結具５４を中心に第１の部材５０に対して回転できるように第２の部材５２を第１の部材５０に取り付けている。第１の部材５０は第２の部材５２がディスプレイスクリーン１６上に張り出してディスプレイスクリーン・フィルタ１８に付着せずにフィルタ１８の第２の側を保持できるように筐体５４に付着している。ユーザは第２の部材５２を締結具５４を中心に回転させてディスプレイスクリーンディスプレイスクリーン・フィルタ１８を保持または解放させる。フィルタ１８を解放するには、ユーザは第２の部材５２を図６Ａに示した水平位置まで回転させる。フィルタ１８を留め具２２Ｂでディスプレイスクリーン１６に隣接して保持するには、ユーザは第２の部材５２を図６Ｂおよび６Ｃに示した垂直位置まで回転させる。
【００３２】
図７Ａおよび７Ｂは上述した留め具２２に相当し得る留め具２２Ｃの正面図および側面図をそれぞれ図示する概略図である。留め具２２Ｃは第１の部材６０と、締結具６４によって第１の部材６０に取り付けられた第２の部材６２とを含む。第１の部材６０はその一方側に接着剤層６１を有するプラスチックまたは金属などの硬質材料を備えている。第２の部材６２は、元の形状から歪曲され得るが歪曲から解放されると元の形状に戻るプラスチックまたは金属などの輪郭付き記憶材料を備えている。使用可能な代表的記憶材料には十分に歪曲可能であるがその歪曲後に元の形状に戻る任意の金属、プラスチック等がある。
【００３３】
第１の部材６０は第２の部材６２がディスプレイスクリーン１６上に張り出すとともにディスプレイスクリーン・フィルタ１８の第２の側を保持するように筐体１４に付着している。ユーザは第２の部材６２をディスプレイスクリーン１６から離れるように引っ張ることによって第２の部材６２を元の形状から歪曲することによりディスプレイスクリーン・フィルタ１８を解放し得る。ユーザが第２の部材６２を解放すると図７Ａおよび７Ｂに示すように元の形状に戻る。
【００３４】
他の実施形態において留め具をディスプレイスクリーンの筐体内に直接成形することにより、接着ヒンジ２０によってアフターマーケット・ディスプレイスクリーン・フィルタ１８の取り付けに対応し得る。この場合筐体は少なくとも１つのリッジ、リップ、フック等を含むことによりディスプレイスクリーン・フィルタ１８をディスプレイスクリーン１６上に保持し得る。またディスプレイスクリーン・フィルタ１８は、留め具として動作してフィルタ１８の第２の側を筐体１４に隣接して保持する筐体１４のベゼルの縁部に直接内嵌し得る。留め具が筐体内に形成されている場合には、ユーザはディスプレイスクリーンの筐体上に形成された留め具と共に本明細書に説明するような接着ヒンジを用いてフィルタを筐体に取り付けることになる。
【００３５】
図８Ａおよび８Ｂは装着可能ディスプレイスクリーン・システム７０の正面図を図示する概略図である。装着可能ディスプレイスクリーン・システム７０は、接着ヒンジ８０ならびに留め具８２Ａおよび８２Ｂ（以降「留め具８２」）によってディスプレイスクリーン７６の筐体７４上に装着されたディスプレイスクリーン・フィルタ７８を含んでいる。接着ヒンジ８０はディスプレイスクリーン・フィルタ７８の第１の側を筐体７４の左縁部にヒンジ式に取り付けている。留め具８２Ａは筐体７４の右縁部に付着してディスプレイスクリーン・フィルタ７８の第２の側を筐体７４に隣接して保持する。留め具８２Ｂは筐体７４の下縁部に付着してフィルタ７８の第３の側を筐体７４に隣接して保持するとともにフィルタ７８の下縁部へ支持を追加している。さらなる実施形態において追加留め具８２はディスプレイスクリーン・フィルタ７８をディスプレイスクリーン７６上に保持し得るとともに、接着ヒンジ８０がフィルタ７８を筐体７４の異なる縁部に取り付け得る。例えば留め具をヒンジ８０によって取り付けられた側以外のフィルタ７８の各側に設けることが望ましく、場合によっては各側毎に多数の留め具が望ましい場合もある。
【００３６】
図８Ａは留め具８２によってディスプレイスクリーン７６上に保持されたディスプレイスクリーン・フィルタ７８を示している。図８Ｂは留め具８２から解放されるとともに接着ヒンジ８０を中心に円弧状に移動したディスプレイスクリーン・フィルタ７８を示している。フィルタ７８がディスプレイスクリーン７６から離れるように揺動することで、ユーザはディスプレイスクリーン７６とフィルタ７８とを掃除するとともに、ディスプレイスクリーン７６上に表示された情報を数人と共有することができる。図示の実施形態においてフィルタ７８がディスプレイスクリーン７６の左側に揺動することで、ユーザはディスプレイスクリーン７６を備えたコンピュータのキーボードを使用することができる。図２Ｂに示すようにディスプレイスクリーン・フィルタ１８は、留め具２２から解放されて接着ヒンジ２０を中心に円弧状に移動したときにキーボード上に位置することになり、キーボードの利用を困難にする恐れがある。図８Ａおよび８Ｂの実施形態は接着ヒンジ８０をディスプレイスクリーン７６の側部に取り付けることによってこの問題を軽減する。
【００３７】
図９Ａおよび９Ｂは装着可能ディスプレイスクリーン・システム８６の断面側面図を図示する概略図である。装着可能ディスプレイスクリーン・システム８６はディスプレイスクリーン・フィルタ９２と、接着ヒンジ９４と、留め具９６とを含んでいる。接着ヒンジ９４がディスプレイスクリーン・フィルタ９２を筐体８８に取り付けるとともに、留め具９６がフィルタ９２をディスプレイスクリーン９０上に保持する。筐体８８は筐体８８とディスプレイスクリーン９０とが接するベゼル８９を含んでいる。ベゼル８９を補償するために接着ヒンジ９４は主軸に沿って折り線９５を含んでいる。
【００３８】
接着ヒンジ９４は上述した接着ヒンジ２０と実質的に同様の硬質基体を備えている。硬質基体は、折り目を有する接着ヒンジがベゼル８９の周囲を取り巻きつつ、フィルタ９２を筐体８８に固着しにくくなるようにする。折り線９５により接着ヒンジ９４をベゼル８９の周囲を取り巻くことなく、接着ヒンジ９４の第１の部分がディスプレイスクリーン９０に接着することができるとともに第２の部分が筐体８８に付着することができる。図９Ａおよび９Ｂに図示するように、接着ヒンジ９４はディスプレイスクリーン・フィルタ９３に付着する側でより厚くして、ディスプレイスクリーン９０と筐体８８との間の間隙を補償してもよい。換言すれば接着ヒンジ９４の第１の側の厚さが接着ヒンジ９４の第２の側の厚さと異なってもよい。
【００３９】
図９Ａは留め具９６によってディスプレイスクリーン９０上に保持されたディスプレイスクリーン・フィルタ９２を示している。接着ヒンジ９４は折り線９５を筐体８８のベゼル８９と位置合わせすることによって、フィルタ９２を筐体８８に対して位置合わせする。図９Ｂは留め具９６から解放されて接着ヒンジ９４を中心に円弧状に移動したディスプレイスクリーン・フィルタ９２を示している。接着ヒンジ９４が折り線９５に沿って屈曲することによりフィルタ９２がディスプレイスクリーン８８から外側に傾斜することができる。
【００４０】
図１０はディスプレイスクリーン・フィルタ１８をディスプレイスクリーン１６上に装着する方法を図示するフロー図である。ユーザはディスプレイスクリーン・フィルタ１８をディスプレイスクリーン１６の筐体１４に対して位置合わせする（１００）。例えばディスプレイスクリーン１６は筐体１４の開口を介して視認可能である。ユーザはディスプレイスクリーン・フィルタ１８の第１の側が筐体にヒンジ式に取り付けられるように、接着ヒンジ２０をディスプレイスクリーン・フィルタ１８の第１の側と筐体１４の縁部とに接着させる（１０２）。ユーザは接着ヒンジ２０上に印刷された位置合わせマーク２４を用いて接着ヒンジ２０をディスプレイスクリーン・フィルタ１８の第１の側と筐体１４のベゼルとに位置合わせする。接着ヒンジ２０をフィルタ１８と筐体１４との間の中心に位置させることによってフィルタ１８を筐体１４に確実に取り付けることができる。
【００４１】
ユーザは留め具２２の一部分がディスプレイスクリーン１６上に張り出してディスプレイスクリーン・フィルタ１８の第２の側を筐体１４に隣接して保持するように留め具２２を筐体１４に接着する（１０４）。換言すればユーザは留め具２２を筐体１４に接着して、留め具２２をディスプレイスクリーン・フィルタ１８に接着せずにディスプレイスクリーン・フィルタ１８の第２の側を筐体１４に隣接して保持するようにする。ディスプレイスクリーン１６に張り出している留め具２２の一部分は接着剤を含まず、ディスプレイスクリーン・フィルタ１８に付着しない。ユーザは留め具２２を操作してフィルタ１８をディスプレイスクリーンに隣接して取り外し可能に保持することができる。フィルタ１８は留め具２２から解放されるとディスプレイスクリーン１６から接着ヒンジ２０を中心に円弧状に移動する。そしてユーザはこのシステムを殆ど弱めずにフィルタ１８をディスプレイスクリーン１６上に再配置するとともに留め具２２を操作してフィルタ１８を再び保持し得る。
【００４２】
装着可能ディスプレイスクリーン・フィルタシステムの多数の実施形態を説明した。特にアフターマーケット・ディスプレイスクリーン・フィルタをコンピュータ・ディスプレイスクリーンに取り付けるためのシステムを説明した。フィルタは接着ヒンジと留め具とによって筐体に隣接して保持される。ユーザは留め具を操作してフィルタを接着ヒンジを中心に円弧状に移動させることによりフィルタをディスプレイスクリーンから取り外す。このシステムによりユーザは妨害されずにディスプレイスクリーン・フィルタを取り付けることができるとともに、取り付けの完全性に影響与えずにディスプレイスクリーン・フィルタをディスプレイスクリーンから繰り返し取り外すことができる。
【００４３】
それでもなお本開示の要旨と範囲とから逸脱することなく様々な変更をなし得る。例えば接着ヒンジは多様な材料および形状を備え得る。また接着ヒンジはディスプレイスクリーン・フィルタをユーザが望む筐体の任意の縁部に取り付け得る。さらに留め具はフィルタに付着せずにディスプレイスクリーン・フィルタを筐体に隣接して保持する任意の構造でよい。これらのおよび他の実施形態は特許請求の範囲内にある。
【図面の簡単な説明】
【００４４】
【図１】本開示の実施形態による装着可能ディスプレイスクリーン・フィルタシステムを利用したコンピュータの斜視図である。
【図２Ａ−２Ｂ】ディスプレイスクリーン・フィルタが留め具によって保持された状態および解放された状態の図１の装着可能ディスプレイスクリーン・フィルタシステムの正面図を図示する概略図である。
【図３Ａ−３Ｂ】ディスプレイスクリーン・フィルタが留め具によって保持された状態および解放された状態の図１の装着可能ディスプレイスクリーン・フィルタシステムの断面側面図を図示する概略図である。
【図４Ａ−４Ｂ】装着可能ディスプレイスクリーン・フィルタシステムで利用可能な例示的接着ヒンジの正面図および背面図を図示する概略図である。
【図５Ａ−５Ｂ】装着可能ディスプレイスクリーン・フィルタシステムで利用可能な例示的留め具の背面図および側面図をそれぞれ図示する概略図である。
【図６Ａ−６Ｃ】装着可能ディスプレイスクリーン・フィルタシステムで利用可能な他の例示的留め具の２つの正面図および１つの側面図をそれぞれ図示する概略図である。
【図７Ａ−７Ｂ】装着可能ディスプレイスクリーン・フィルタシステムで利用可能な他の例示的留め具の正面図および側面図をそれぞれ図示する概略図である。
【図８Ａ−８Ｂ】本開示の実施形態による例示的装着可能ディスプレイスクリーン・フィルタシステムの正面図を図示する概略図である。
【図９Ａ−９Ｂ】例示的装着可能ディスプレイスクリーン・フィルタシステムの断面側面図を図示する概略図である。
【図１０】ディスプレイスクリーン・フィルタをディスプレイスクリーン上に装着する方法を図示するフロー図である。
【図１】
2007510220.tif 000003
【図２Ａ】
2007510220.tif 000004
【図２Ｂ】
2007510220.tif 000005
【図３Ａ】
2007510220.tif 000006
【図３Ｂ】
2007510220.tif 000007
【図４Ａ】
2007510220.tif 000008
【図４Ｂ】
2007510220.tif 000009
【図５Ａ】
2007510220.tif 000010
【図５Ｂ】
2007510220.tif 000011
【図６Ａ】
2007510220.tif 000012
【図６Ｂ】
2007510220.tif 000013
【図６Ｃ】
2007510220.tif 000014
【図７Ａ】
2007510220.tif 000015
【図７Ｂ】
2007510220.tif 000016
【図８Ａ】
2007510220.tif 000017
【図８Ｂ】
2007510220.tif 000018
【図９Ａ】
2007510220.tif 000019
【図９Ｂ】
2007510220.tif 000020
【図１０】
2007510220.tif 000021
【国際調査報告】
2007510220.tif 000022
2007510220.tif 000023